(57)【要約】本願は、排煙組立体及びガス給湯器を提案する。前記排煙組立体は排煙フード（１）を含み、前記排煙フード（１）には排煙ダクト（１１）が設けられ、前記排煙ダクトは前記排煙フード（１）と一体成形されている。一体成形により、排煙ダクト（１１）と排煙フード（１）の組み立て作業を省いて、ガス給湯器製品の組み立て工程を簡略化し、これによりガス給湯器製品の生産効率を向上できる。【選択図】図３
2021523341.tif 000002
【特許請求の範囲】
【請求項１】
排煙フードを含む、ガス給湯器用の排煙組立体であって、
前記排煙フードには排煙ダクトが設けられ、前記排煙ダクトは前記排煙フードと一体成形されている
排煙組立体。
【請求項２】
前記排煙ダクトは前記排煙フードと一体に射出成形されている
請求項１に記載の排煙組立体。
【請求項３】
前記排煙フード内にはキャビティが形成され、前記キャビティの下端部は開放されており、前記排煙ダクトは前記排煙フードの上端部に設けられ、且つ前記キャビティと連通している
請求項１に記載の排煙組立体。
【請求項４】
前記排煙組立体はさらに凝縮水収集ボックスを含み、前記排煙フードは前記凝縮水収集ボックスの上部に取り付けられている
請求項３に記載の排煙組立体。
【請求項５】
前記凝縮水収集ボックスはボックス底壁と前記ボックス底壁の縁部から上へ延びているボックス側壁を含み、前記凝縮水収集ボックスの上部にはボックス開口が形成され、前記排煙フードの下端部は前記ボックス側壁の上端部と接続されている
請求項４に記載の排煙組立体。
【請求項６】
前記排煙フードの下端部は前記ボックス側壁の上端部とねじにより接続されている
請求項５に記載の排煙組立体。
【請求項７】
前記ボックス底壁には支持部が設けられ、前記支持部はスタッドと支持凸起を含み、前記排煙フードの下端部の前記支持部寄りの側にはリブが設けられ、前記リブには貫通孔が設けられ、前記リブは前記支持凸起の上部と当接され、且つ前記貫通孔が前記スタッドと対向し、前記ガス給湯器の熱交換器がねじにより前記スタッドと接続されて、前記リブは前記支持凸起上に押し付けられて固定される
請求項５に記載の排煙組立体。
【請求項８】
前記ボックス側壁の上端部には外へ伸びているフランジが設けられて、前記排煙フードの下端部はねじにより前記フランジと接続されている
請求項５に記載の排煙組立体。
【請求項９】
ガス給湯器用の排煙組立体であって、前記排煙組立体は排煙フードを含み、
前記排煙フードには排煙ダクトが設けられ、前記排煙ダクトは前記排煙フードと一体成形されており、前記排煙フード内にはキャビティが形成され、前記キャビティの下端部は開放されており、前記排煙ダクトは前記排煙フードの上端部に設けられ、且つ前記キャビティと連通している
排煙組立体。
【請求項１０】
排煙組立体を含むガス給湯器であって、前記排煙組立体は排煙フードを含み、
前記排煙フードには排煙ダクトが設けられ、前記排煙ダクトは前記排煙フードと一体成形されている
ガス給湯器。
【請求項１１】
前記ガス給湯器はさらに送風機、燃焼器、および熱交換器を含み、前記送風機の吹出し口は前記燃焼器の吸気口と接続され、前記燃焼器の排気口は前記熱交換器の吸気口と接続され、前記熱交換器の排気口は前記排煙組立体の吸気口と接続されている
請求項１０に記載のガス給湯器。
【請求項１２】
前記排煙ダクトは前記排煙フードと一体に射出成形されている
請求項１０に記載のガス給湯器。
【請求項１３】
前記排煙フード内にはキャビティが形成され、前記キャビティの下端部は開放されており、前記排煙ダクトは前記排煙フードの上端部に設けられ、且つ前記キャビティと連通している
請求項１０に記載のガス給湯器。
【請求項１４】
前記排煙組立体はさらに凝縮水収集ボックスを含み、前記排煙フードは前記凝縮水収集ボックスの上部に取り付けられている
請求項１３に記載のガス給湯器。
【請求項１５】
前記凝縮水収集ボックスはボックス底壁と前記ボックス底壁の縁部から上へ延びているボックス側壁を含み、前記凝縮水収集ボックスの上部にはボックス開口が形成され、前記排煙フードの下端部は前記ボックス側壁の上端部と接続されている
請求項１４に記載のガス給湯器。
【請求項１６】
前記排煙フードの下端部は前記ボックス側壁の上端部とねじにより接続されている
請求項１５に記載の排煙組立体。
【請求項１７】
前記ボックス底壁には支持部が設けられ、前記支持部はスタッドと支持凸起を含み、前記排煙フードの下端部の前記支持部寄りの側にはリブが設けられ、前記リブには貫通孔が設けられ、前記リブは前記支持凸起の上部と当接され、且つ前記貫通孔が前記スタッドと対向し、前記ガス給湯器の熱交換器がねじにより前記スタッドと接続されて、前記リブは前記支持凸起上に押し付けられて固定される
請求項１５に記載のガス給湯器。
【請求項１８】
前記ボックス側壁の上端部には外へ伸びているフランジが設けられて、前記排煙フードの下端部はねじにより前記フランジと接続されている
請求項１５に記載のガス給湯器。
【発明の詳細な説明】
【技術分野】
【０００１】
本発明は給湯器の分野に関し、より具体的に、排煙組立体及び上記排煙組立体を有するガス給湯器に関する。
【背景技術】
【０００２】
ガス給湯器は通常、互いに接続されている排煙フードと排気ダクトを通して排煙をするが、従来のガス給湯器の排煙フードと排気ダクトは二つの独立した部品であるため、給湯器の生産や組み立て時には、作業者により排煙フードを排煙ダクトに取り付けて一緒に固定する必要がある。これにより、従来のガス給湯器製品の組立工程が比較的複雑であり、製品の生産効率の低下を招いていた。
【発明の概要】
【発明が解決しようとする課題】
【０００３】
本願の目的は、先行技術に存在する技術課題の少なくとも一つを解決することである。
【０００４】
そのために、本願の一つの目的は、ガス給湯器の生産効率を向上できる排煙組立体を提供することにある。
【０００５】
本願のもう一つの目的は、上記排煙組立体を含むガス給湯器提供することにある。
【課題を解決するための手段】
【０００６】
上記目的を実現するために、本願の第一側面の実施例によれば、ガス給湯器用の排煙組立体を提案する。前記排煙組立体は排煙フードを含み、前記排煙フードには排煙ダクトが設けられ、前記排煙ダクトは前記排煙フードと一体成形されている。
【０００７】
本技術案によれば、排煙ダクトは排煙フードと一体成形されている。このような設計とすることで、排煙ダクトと排煙フードの組み立て作業を省いて、ガス給湯器製品の組み立て工程を簡略化し、これによりガス給湯器製品の生産効率を向上できる。
【０００８】
上記いずれか一つの技術案において、好ましくは、前記排煙ダクトは前記排煙フードと一体に射出成形されている。
【０００９】
本技術案によれば、排煙ダクトと排煙フードの製造材料はプラスチック材料を採用し、排煙ダクトは排煙フードと一体に射出成形されている。このような設計とすることで、排煙組立体の生産プロセスが簡単で、且つ排煙組立体の生産コストが低い。
【００１０】
上記いずれか一つの技術案において、好ましくは、前記排煙フード内にはキャビティが形成され、前記キャビティの下端部は開放されており、前記排煙ダクトは前記排煙フードの上端部に設けられ、且つ前記キャビティと連通している。
【００１１】
上記いずれか一つの技術案において、好ましくは、前記排煙組立体はさらに凝縮水収集ボックスを含み、前記排煙フードは前記凝縮水収集ボックスの上部に取り付けられている。
【００１２】
本技術案が提案する排煙組立体はさらに凝縮水収集ボックスを含み、排煙フードとガス給湯器の熱交換器は凝縮水収集ボックスの上部に取り付けられている。空気とガスの混合気体が燃焼して形成された煙はまず熱交換器内に入り、煙は熱交換器との熱交換により温度が低くなり且つ一定の凝縮水を生成し、そして煙と凝縮水は熱交換器の排気口から凝縮水収集ボックスに入り、次に凝縮水は凝縮水収集ボックス底部の排水口から排出され、煙は凝縮水収集ボックスから排煙フード内に入り、そして排煙フードから排煙ダクトに入って、排煙ダクトから排出される。
【００１３】
上記いずれか一つの技術案において、好ましくは、前記凝縮水収集ボックスはボックス底壁と前記ボックス底壁の縁部から上へ延びているボックス側壁を含み、前記凝縮水収集ボックスの上部にはボックス開口が形成され、前記排煙フードの下端部は前記ボックス側壁の上端部と接続されている。
【００１４】
本技術案において、凝縮水収集ボックスは上部が開放されているボックスであり、このような設計により、凝縮水収集ボックスの構造が簡単になり、生産や加工の難易度が低くなる。
【００１５】
上記いずれか一つの技術案において、好ましくは、前記排煙フードの下端部は前記ボックス側壁の上端部とねじにより接続されている。
【００１６】
本技術案では、排煙フードはねじにより凝縮水収集ボックス上に取り付けられている。このような設計によれば、排煙フードと凝縮水収集ボックスとの接続固定の信頼性が高く、排煙フードと凝縮水収集ボックスのがたつきの問題が生じにくくなる。具体的には、排煙フード下端部とボックス側壁上端部とのうちの一方にはスタッド、他方には接続孔が設けられており、排煙フードを凝縮水収集ボックス上に取り付ける場合、スタッドと接続孔の位置を合わせて、そしてねじにより固定する。
【００１７】
上記いずれか一つの技術案において、好ましくは、前記ボックス底壁には支持部が設けられ、前記支持部はスタッドと支持凸起を含み、前記排煙フードの下端部の前記支持部寄りの側にはリブが設けられ、前記リブには貫通孔が設けられ、前記リブは前記支持凸起の上部と当接され、且つ前記貫通孔が前記スタッドと対向し、前記ガス給湯器の熱交換器がねじにより前記スタッドと接続されて、前記リブは前記支持凸起上に押し付けられて固定される。
【００１８】
従来技術では、排煙フードと熱交換器を凝縮水収集ボックスの上端部に取り付けて、排煙フード、熱交換器を凝縮水収集ボックスと連通させ、排煙フード、熱交換器のボックス側壁に対応する位置をそれぞれねじによりボックス側壁と固定接続し、且つボックス底壁上にそれぞれ排煙フードと熱交換器用にスタッドを設置して、排煙フード、熱交換器のボックス底壁上に位置する部分をそれぞれねじとスタッドにより固定接続する必要がある。しかしながら、このような固定方法では、ねじの数が多すぎて、ガス給湯器製品の生産組立効率の低下を招いてしまう。
【００１９】
本技術案では、排煙フードの固定方式を変えて、ボックス底壁上に一つの支持凸起と一つのスタッドを設置し、そして排煙フードのスタッド寄りの側にリブを設ける。排煙フード、熱交換器、凝縮水収集ボックスの三者を互いに組み立てる場合、まずは排煙フードを凝縮水収集ボックス上に取り付けて、排煙フードのボックス側壁に対応する位置をねじによりボックス側壁と固定接続し、排煙フードのリブをボックス底壁上の支持凸起と当接させ、且つリブ上の貫通孔とスタッドの位置を合わせる。排煙フードが所定位置に配置されてから、熱交換器を凝縮水収集ボックス上に取り付ける。熱交換器のボックス側壁に対応する位置をねじによりボックス側壁と固定接続し、熱交換器のボックス底壁上方に位置する部分をねじによりスタッドと接続し、且つリブを前記支持凸起上に押し付けて固定する。これにより排煙フード、熱交換器、凝縮水収集ボックスの三者の組み立て作業を完成する。このような設計によれば、ねじの数を減らすので、ガス給湯器製品の生産組み立て効率を向上できる。
【００２０】
上記いずれか一つの技術案において、好ましくは、前記ボックス側壁の上端部には外へ伸びているフランジが設けられて、前記排煙フードの下端部はねじにより前記フランジと接続されている。
【００２１】
本技術案では、ボックス側壁の上端部にフランジを設けて、排煙フードと凝縮水収集ボックスのフランジをねじにより接続している。このような設計によれば、排煙フードと凝縮水収集ボックスとの接続固定の信頼性を向上できる。
【００２２】
本願の第二側面の実施例によれば、ガス給湯器用の排煙組立体を提案する。前記排煙組立体は排煙フードを含み、前記排煙フードには排煙ダクトが設けられ、前記排煙ダクトは前記排煙フードと一体成形されており、前記排煙フード内にはキャビティが形成され、前記キャビティの下端部は開放されており、前記排煙ダクトは前記排煙フードの上端部に設けられ、且つ前記キャビティと連通している。
【００２３】
本技術案によれば、排煙ダクトは排煙フードと一体成形されている。このような設計とすることで、排煙ダクトと排煙フードの組み立て作業を省いて、ガス給湯器製品の組み立て工程を簡略化し、これによりガス給湯器製品の生産効率を向上できる。前記排煙フード内にはキャビティが形成され、前記キャビティの下端部は開放されており、前記排煙ダクトは前記排煙フードの上端部に設けられ、且つ前記キャビティと連通していることで、煙は排煙フード内に入ってから、排煙フードから排煙ダクトに入って、そして排煙ダクトから排出される。
【００２４】
本願の第三側面の実施例は、本願の第一側面のいずれか一つの実施例で提案される排煙組立体を含むガス給湯器を提案する。
【００２５】
本願の第三側面の実施例が提案するガス給湯器は本願の第一側面のいずれか一つの実施例で提案される排煙組立体を含むので、当該ガス給湯器は上記いずれか一つの実施例で提案される排煙組立体の全ての有益な効果を有し、ここでは繰り返して述べない。
【００２６】
上記いずれか一つの技術案において、好ましくは、前記ガス給湯器はさらに送風機、燃焼器と熱交換器を含み、前記送風機の吹出し口は前記燃焼器の吸気口と接続され、前記燃焼器の排気口は前記熱交換器の吸気口と接続され、前記熱交換器の排気口は前記排煙組立体の吸気口と接続されている。
【００２７】
好ましくは、ガス給湯器の熱交換器は顕熱熱交換器と潜熱熱交換器により構成された一体型凝縮式熱交換器であり、顕熱熱交換器は燃焼器内での気体燃焼により生じた熱をそのまま利用して水を加熱し、潜熱熱交換器は気体燃焼で生じた煙と熱交換して、煙の熱により水を加熱する。
【００２８】
本願の更なる側面及び利点は、以下の説明部分から明らかになるか、或いは本願の実施により理解されるであろう。
【図面の簡単な説明】
【００２９】
本願実施例及び従来技術の技術案をより明確に説明するため、以下では、実施例或いは従来技術の説明に必要とされる図面を簡単に紹介する。下記説明における図面は本願の一部の実施例に過ぎないことは明らかであって、当業者にとって、創造的な労働を行わないことを前提に、これらの図面が示す構造により他の図面を得ることができる。
【００３０】
本願の上記及び／又は更なる側面及び利点は、以下の図面と組み合わせた実施例に対する説明から明らかに且つ理解しやすくなるであろう。
【００３１】
【図１】本願の一実施例が提案する排煙組立体の構造模式図である。
【図２】図１に示す排煙組立体の左側面構造模式図である。
【図３】図２に示す排煙組立体の断面構造模式図である。
【図４】図３のＡ部での拡大構造模式図である。
【図５】図１に示す排煙組立体の平面構造模式図である。
【図６】図１に示す排煙フードの構造模式図である。
【図７】図６に示す排煙フードの右側面構造模式図である。
【図８】図１に示す凝縮水収集ボックスの構造模式図である。
【図９】本願の一実施例が提案するガス給湯器の構造模式図である。
【図１０】図９に示すガス給湯器の断面構造模式図である。
【図１１】図１０のＢ部での拡大構造模式図である。
【００３２】
図面を参照して、実施例と組み合わせて本願目的の実現、機能特徴及び長所をさらに説明する。
【発明を実施するための形態】
【００３３】
以下では、本願実施例における図面と組み合わせ、本願実施例における技術案を明確且つ完全に説明する。説明される実施例は本願の全ての実施例ではなく、本願の一部の実施例に過ぎないことは明らかである。本願における実施例に基づいて、当業者が創造的な労働を行わないことを前提に得た全ての他の実施例は、本願の保護する範囲に属す。
【００３４】
もし本願実施例で方向性指示（例えば上、下、左、右、前、後．．．）に関わる場合、当該方向性指示はある特定の姿勢（図面に示す）における各部品間の相対的位置関係、運動状況等を説明するためだけに設置され、もし当該特定の姿勢が変わる場合、当該方向性指示もそれ相応に変わることは、説明しておく必要がある。
【００３５】
また、本願実施例において「第一」、「第二」等の説明に関わる場合、当該「第一」、「第二」等の説明は、説明のために設置されるだけであって、その相対的重要性を提示又は暗示する、或いは提示される技術的特徴の数を暗示的に指定するように理解すべきではない。これにより、「第一」、「第二」に限定された特徴は明示的或いは暗示的に少なくとも一つの当該特徴を含んでもよい。また、各実施例の技術案は互いに組み合わせることができる。ただし、当業者が実現できることがその前提となる。技術案の組み合わせに矛盾が生じるか、実現できない場合には、このような技術案の組み合わせが存在せず、且つ本願が請求する保護範囲にないと理解すべきである。
【００３６】
本願の第一側面の実施例によれば、ガスを利用するガス給湯器の排煙組立体を提案する。図１から図１１に示すように、排煙組立体は排煙フード１を含み、排煙フード１には排煙ダクト１１が設けられ、排煙ダクト１１は排煙フード１と一体成形されている。
【００３７】
本技術案によれば、排煙ダクト１１は排煙フード１と一体成形されている。このような設計とすることで、排煙ダクト１１と排煙フード１の組み立て作業を省いて、ガス給湯器製品の組み立て工程を簡略化し、これによりガス給湯器製品の生産効率を向上できる。
【００３８】
上記いずれか一つの技術案において、好ましくは、排煙ダクト１１は排煙フード１と一体に射出成形されている。
【００３９】
本技術案によれば、排煙ダクト１１と排煙フード１の製造材料はプラスチック材料を採用し、排煙ダクト１１は排煙フード１と一体に射出成形されている。このような設計とすることで、排煙組立体の生産プロセスが簡単で、且つ排煙組立体の生産コストが低い。
【００４０】
上記いずれか一つの技術案において、好ましくは、排煙フード１内にはキャビティが形成され、キャビティの下端部は開放されており、排煙ダクト１１は排煙フード１の上端部に設けられて且つキャビティと連通している。
【００４１】
上記いずれか一つの技術案において、好ましくは、排煙組立体はさらに凝縮水収集ボックス２を含み、排煙フード１は凝縮水収集ボックス２の上部に取り付けられている。
【００４２】
本技術案が提案する排煙組立体はさらに凝縮水収集ボックス２を含み、排煙フード１とガス給湯器の熱交換器５は凝縮水収集ボックス２の上部に取り付けられている。空気とガスの混合気体が燃焼して形成された煙はまず熱交換器５内に入り、煙は熱交換器５との熱交換により温度が低くなり且つ一定の凝縮水を生成し、そして煙と凝縮水は熱交換器５の排気口から凝縮水収集ボックス２に入り、次に凝縮水は凝縮水収集ボックス２底部の排水口２１３から排出され、煙は凝縮水収集ボックス２から排煙フード１内に入り、そして排煙フード１から排煙ダクト１１に入って、排煙ダクト１１から排出される。
【００４３】
上記いずれか一つの技術案において、好ましくは、凝縮水収集ボックス２はボックス底壁２１とボックス底壁２１の縁部から上へ延びているボックス側壁２２を含み、凝縮水収集ボックス２の上部にはボックス開口が形成され、排煙フード１の下端部はボックス側壁２２の上端部と接続されている。
【００４４】
本技術案において、凝縮水収集ボックス２は上部が開放されているボックスであり、このような設計により、凝縮水収集ボックスの構造が簡単になり、生産や加工の難易度が低くなる。
【００４５】
上記いずれか一つの技術案において、好ましくは、ボックス側壁２２の上端部には外へ伸びているフランジ２２１が設けられて、排煙フード１の下端部はねじによりフランジ２２１と接続されている。
【００４６】
本技術案では、排煙フード１はねじにより凝縮水収集ボックス２上に取り付けられている。このような設計によれば、排煙フード１と凝縮水収集ボックス２との接続固定の信頼性が高く、排煙フード１と凝縮水収集ボックス２のがたつきの問題が生じにくくなる。具体的には、排煙フード下端部とフランジとのうちの一方にはスタッド、他方には接続孔が設けられており、排煙フードを凝縮水収集ボックス上に取り付ける場合、スタッドと接続孔の位置を合わせて、そしてねじにより固定する。
【００４７】
図３から図１１に示すように、上記いずれか一つの技術案において、好ましくは、ボックス底壁２１上には支持部が設けられ、支持部はスタッド２１１と支持凸起２１２を含み、排煙フード１の下端部の支持部寄りの側にはリブ１２が設けられ、リブ１２には貫通孔が設けられ、リブ１２は支持凸起２１２の上部と当接され、且つ貫通孔がスタッド２１１と対向し、ガス給湯器の熱交換器５はねじによりスタッド２１１と接続されて、且つリブ１２を支持凸起２１２上に押し付けて固定している。
【００４８】
従来技術では、排煙フードと熱交換器を凝縮水収集ボックスの上端部に取り付けて、排煙フード、熱交換器を凝縮水収集ボックスと連通させ、排煙フード、熱交換器のボックス側壁に対応する位置をそれぞれねじによりボックス側壁と固定接続し、且つボックス底壁上にそれぞれ排煙フードと熱交換器用にスタッドを設置して、排煙フード、熱交換器のボックス底壁上に位置する部分をそれぞれねじとスタッドにより固定接続する必要がある。しかしながら、このような固定方法では、ねじの数が多すぎて、ガス給湯器製品の生産組立効率の低下を招いてしまう。本技術案では、排煙フード１の固定方式を変えて、ボックス底壁２１に一つの支持凸起２１２と一つのスタッド２１１を設け、そして排煙フード１のスタッド２１１寄りの側にリブ１２を設ける。排煙フード１、熱交換器５、凝縮水収集ボックス２の三者を互いに組み立てる場合、まずは排煙フード１を凝縮水収集ボックス２上に取り付けて、排煙フード１のボックス側壁２２に対応する位置をねじによりボックス側壁２２と固定接続し、排煙フード１のリブ１２をボックス底壁２１上の支持凸起２１２と当接させ、且つリブ１２上の貫通孔とスタッド２１１の位置を合わせる。排煙フード１が所定位置に配置されてから、熱交換器５を凝縮水収集ボックス２上に取り付ける。熱交換器５のボックス側壁２２に対応する位置をねじによりボックス側壁２２と固定接続し、熱交換器５のボックス底壁２１上方に位置する部分をねじによりスタッド２１１と接続し、且つリブ１２を支持凸起２１２上に押し付けて固定する。これにより排煙フード１、熱交換器５、凝縮水収集ボックス２の三者の組み立て作業を完成する。このような設計によれば、ねじの数を減らすので、ガス給湯器製品の生産組み立て効率を向上できる。
【００４９】
本願の第二側面の実施例は本発明の第一側面のいずれか一つの実施例で提案される排煙組立体を含むガス給湯器を提案する。
【００５０】
本願の第二側面の実施例が提案するガス給湯器は本発明の第一側面のいずれか一つの実施例で提案される排煙組立体を含むので、当該ガス給湯器は上記いずれか一つの実施例で提案される排煙組立体の全ての有益な効果を有し、ここでは繰り返して述べない。
【００５１】
本願の一つの実施例によれば、全予混合凝縮式ガス給湯器を提案する。図９から図１１に示すように、当該全予混合凝縮式ガス給湯器は送風機３、燃焼器４、熱交換器５及び本願の第一側面のいずれか一つの実施例で提案される排煙組立体を含み、送風機３の吹出し口は燃焼器４の吸気口と接続され、燃焼器４の排気口は熱交換器５の吸気口と接続され、熱交換器５の排気口は排煙組立体の吸気口と接続されている。
【００５２】
好ましくは、ガス給湯器の熱交換器は顕熱熱交換器と潜熱熱交換器により構成された一体型凝縮式熱交換器であり、顕熱熱交換器は燃焼器内での気体燃焼により生じた熱をそのまま利用して水を加熱し、潜熱熱交換器は気体燃焼で生じた煙と熱交換して、煙の熱により水を加熱する。
【００５３】
本願の説明において、「上」、「下」などの術語がさす方位或いは位置関係は図面に基づいて示す方位或いは位置関係であり、本願の説明の便宜及び説明の簡略化のためのものだけであって、そのさす装置或いは素子が必ず特定の方位を持ち、特定の方位で構成或いは操作されなければならないと提示或いは暗示するわけではないので、本願に対する制限として理解すべきではない。「接続」、「取り付け」、「固定」などの術語は広義に理解されるべきである。例えば、固定的な接続でもよく、取り外し可能な接続でもよく、或いは一体として接続されてもよい；直接につながってもよく、中間にある媒介によって間接的につながってもよい。当業者にとって、具体的な状況により上記術語の本願における具体的な意味を理解できる。
【００５４】
本願の明細書の説明において、「一つの実施例」、「いくつかの実施例」、「模式的な実施例」、「例示」、「具体的な例示」、又は「いくつかの例示」等の術語の説明は、前記実施例或いは例示を組み合わせて説明した具体的な特徴、構造、材料或いは特性が本願の少なくとも一つの実施例或いは例示の中に含まれていることを意味する。本明細書の中で、上記術語に対する模式的表現は必ずしも同じ実施例或いは例示を指すとは限らない。しかも、説明された具体的な特徴、構造、材料或いは特性は何れか一つ或いは複数の実施例或いは例示の中で適当な方式で組み合わせることが可能である。
【００５５】
以上に述べたことは本願の好ましい実施例に過ぎず、それによって本願の特許の範囲を制限するわけではない。本願の発明構想の下で、本願の明細書及び図面の内容を利用してなされた等価構造変換、或いは他の関連する技術分野への直接／間接的な応用は、何れも本願の特許の保護範囲に含まれる。
【符号の説明】
【００５６】
図１から図１１における符号と部材名称との間の対応関係は以下のとおりである。
１  排煙フード
１１  排煙ダクト
１２  リブ
２  凝縮水収集ボックス
２１  ボックス底壁
２１１  スタッド
２１２  支持凸起
２１３  排水口
２２  ボックス側壁
２２１  フランジ
３  送風機
４  燃焼器
５  熱交換器
【図１】
2021523341.tif 000003
【図２】
2021523341.tif 000004
【図３】
2021523341.tif 000005
【図４】
2021523341.tif 000006
【図５】
2021523341.tif 000007
【図６】
2021523341.tif 000008
【図７】
2021523341.tif 000009
【図８】
2021523341.tif 000010
【図９】
2021523341.tif 000011
【図１０】
2021523341.tif 000012
【図１１】
2021523341.tif 000013
【国際調査報告】
2021523341.tif 000014
2021523341.tif 000015
2021523341.tif 000016
2021523341.tif 000017
2021523341.tif 000018
2021523341.tif 000019